(57)【特許請求の範囲】
【請求項１】
芳香剤、殺菌剤、抗菌剤、消臭剤等のいずれかが充填された床面に安定状態で設置することができるエアゾール缶あるいは空気を供給することができるポンプを備えたスプレー容器と、このエアゾール缶あるいはスプレー容器に取付けられた押し圧によって消臭剤等を噴霧することができる噴霧ノズルを備える噴霧用キャップと、足で押し圧することによって該噴霧用キャップの噴霧ノズルより消臭剤等を噴霧させることができる部位と足で押し圧することができない部位とに回動できるように噴霧用キャップあるいは前記エアゾール缶あるいはスプレー容器に回動可能に取付けられた足踏みペダルとからなることを特徴とする消臭剤等のスプレー装置。
【請求項２】
芳香剤、殺菌剤、抗菌剤、消臭剤等のいずれかが充填された床面に安定状態で設置することができる、高さ寸法よりも幅寸法が大きいエアゾール缶あるいは空気を供給することができるポンプを備えたスプレー容器と、このエアゾール缶あるいはスプレー容器に取付けられた押し圧によって消臭剤等を噴霧することができる噴霧ノズルを備える噴霧用キャップと、足で押し圧することによって該噴霧用キャップの噴霧ノズルより消臭剤等を噴霧させることができる部位と足で押し圧することができない部位とに回動できるように噴霧用キャップあるいは前記エアゾール缶あるいはスプレー容器に回動可能に取付けられた、外周部が前記エアゾール缶あるいはスプレー容器の外周部よりも内側に位置する足踏みペダルとからなることを特徴とする消臭剤等のスプレー装置。
【発明の詳細な説明】
【０００１】
【発明の属する技術分野】
本発明は主にトイレ等で使用する芳香剤や消臭剤等のスプレー装置に関する。
【０００２】
【従来の技術】
従来の芳香剤や消臭剤等のスプレー装置は手で持つことかできる細長い寸法に形成された、芳香剤や消臭剤が充填されたエアゾール缶と、このエアゾール缶に取付けられた該エアゾール缶を持つ手の指先で押し圧することによって、芳香剤や消臭剤等を噴霧することができる噴霧ノズルを備える噴霧用キャップとで構成されている。
【０００３】
【発明が解決しようとする課題】
従来の芳香剤や消臭剤等のエアゾールは手で持って使用するものであるので、トイレ内に設置しておいても衛生面で使用しずらいという欠点があるとともに、容量が少なく、設置場所に苦労するという欠点があった。
【０００４】
本発明は以上のような従来の欠点に鑑み、設置場所に苦労したり、容量を大きくしても使用しずらくなることなく、かえって使用しやすくなるとともに、衛生面を気にすることなく気軽に使用することができる消臭剤等のスプレー装置を提供することを目的としている。
【０００５】
本発明の前記ならびにそのほかの目的と新規な特徴は次の説明を添付図面と照し合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は芳香剤、殺菌剤、抗菌剤、消臭剤等のいずれかが充填された床面に安定状態で設置することができるエアゾール缶あるいは空気を供給することができるポンプを備えたスプレー容器と、このエアゾール缶あるいはスプレー容器に取付けられた押し圧によって消臭剤等を噴霧することができる噴霧ノズルを備える噴霧用キャップと、足で押し圧することによって該噴霧用キャップの噴霧ノズルより消臭剤等を噴霧させることができる部位と足で押し圧することができない部位とに回動できるように噴霧用キャップあるいは前記エアゾール缶あるいはスプレー容器に回動可能に取付けられた足踏みペダルとで消臭剤等のスプレー装置を構成している。
【０００７】
【発明の実施の形態】
以下、図面に示す実施の形態により、本発明を詳細に説明する。
【０００８】
図１ないし図６に示す本発明の第１の実施の形態において、１は芳香剤、殺菌剤、抗菌剤、消臭剤等のいずれかが充填された高さ寸法よりも幅寸法が大きい、床面に安定状態で設置することができるエアゾール缶で、このエアゾール缶１のほぼ中央上面には押し圧によって開弁するノズル２に接続された消臭剤等を噴霧することができる噴霧ノズル３を備える従来から一般に使用されている噴霧用キャップ４が取付けられている。
【０００９】
５は前記噴霧用キャップ４に一体形成された、足で押し圧することによって該噴霧用キャップ４の噴霧ノズル３より消臭剤等を噴霧させることができる足踏みペダルで、この足踏みペダル５は前記噴霧用キャップ４に一体形成された足踏みペダル本体６と、前記噴霧用キャップ４の反足踏みペダル本体６側部位と回動可能に一体形成された、前記エアゾール缶１の口部１ａに固定される支持部材７とで構成されている。
【００１０】
８は前記足踏みペダル本体６側の前記エアゾール缶１の底面に接着固定されたゴムシート等のスベリ止めシートである。
【００１１】
上記構成の消臭剤等のスプレー装置９は図５に示すように、トイレ１０の床面１１に置くことにより設置することができる。
また、トイレの使用前や使用後に、図６に示すように足踏みペダル５を足で押し圧することにより噴霧用キャップ４の噴霧ノズル３より消臭剤等が噴霧され、足踏みペダル５の押し圧を解除すると噴霧が解除される。
【００１２】
【発明の異なる実施の形態】
次に、図７ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図７ないし図９に示す本発明の第２の実施の形態において、前記本発明の第１の実施の形態と主に異なる点は、エアゾール缶１の外周部よりも外周部が内側部位に位置する足踏みペダル本体６Ａを用いた足踏みペダル５Ａを使用した点で、このように構成した消臭剤等のスプレー装置９Ａにしても、前記本発明の第１の実施の形態と同様な作用効果が得られるとともに、足踏みペダル５Ａの操作でエアゾール缶１が倒れたりするのを効率よく防止することができる。
【００１４】
図１０ないし図１２に示す本発明の第３の実施の形態において、前記本発明の第１の実施の形態と主に異なる点は、噴霧用キャップ４に枢支ピン１２、１２によって押し圧することができる部位と、押し圧することができない部位に回動できるように足踏みペダル５Ｂを取付けるとともに、該足踏みペダル５Ｂの底面に押し圧不可、噴霧できません、できません、反対に倒してご使用下さい等の表示１３をした点で、このように構成した消臭剤等のスプレー装置９Ｂにしても、前記本発明の第１の実施の形態と同様な作用効果が得られるとともに、誤って押し圧して噴霧してしまうのを防止したり、小さい子供のいたずらを防止することができる。
【００１５】
図１３ないし図１５に示す本発明の第４の実施の形態において、前記本発明の第１の実施の形態と主に異なる点は、エアゾール缶１の口部１ａに固定される支持部材７Ａと、この支持部材７Ａの一方の上部に回動可能に取付けられた噴霧用キャップ４の両側部を通過する脚部材１４、１４を有する足踏みペダル本体６Ｂと、この足踏みペダル本体６Ｂの脚部材１４、１４と押し圧時に当接して押し圧されるように噴霧用キャップ４の両側部に取付けられた係止片１５、１５とからなる足踏みペダル５Ｃを用いた点で、このように構成した消臭剤等のスプレー装置９Ｃにしてもよい。
【００１６】
図１６ないし図１８に示す本発明の第５の実施の形態において、前記本発明の第１の実施の形態と主に異なる点は、エアゾール缶１の底面の外周部にコ字状のスベリ止め１６を取付けるとともに、足踏みペダル５Ｄを噴霧用キヤップ４の上面と一体形成し、噴霧ノズル３Ａを側部より斜め上方に突出するように噴霧用キャップ４に取付けた点で、このように構成した消臭剤等のスプレー装置９Ｄにしても、前記本発明の第１の実施の形態と同様な作用効果が得られる。
【００１７】
図１９ないし図２１に示す本発明の第６の実施の形態において、前記本発明の第１の実施の形態と主に異なる点は、上部の一側部寄りの部位に口部１ａを形成して噴霧用キャップ４を取付けたエアゾール缶１Ａを用いた点で、このように形成されたエアゾール缶１Ａを用いて構成した消臭剤等のスプレー装置９Ｅにしても前記本発明の第１の実施の形態と同様な作用効果が得られるとともに、エアゾール缶１Ａの一側部寄りの部位に噴霧用キヤップ４が位置するため、大きな足踏みペダル５Ｅを取付けることができるとともに、足踏みペダル５Ｅの押し圧操作でエアゾール缶１Ａが倒れたりするのを効率よく阻止することができる。
【００１８】
図２２ないし図２４に示す本発明の第７の実施の形態において、前記本発明の第１の実施の形態と主に異なる点は、空気を供給することができるポンプ１７を備えたスプレー容器１８を用いた点で、このようなスプレー容器１８を用いて構成した消臭剤等のスプレー装置９Ｆにしても前記本発明の第１の実施の形態と同様な作用効果が得られる。
【００１９】
【発明の効果】
以上の説明から明らかなように、本発明にあっては次に列挙する効果が得られる。
【００２０】
（１）芳香剤、殺菌剤、抗菌剤、消臭剤等のいずれかが充填された床面に安定状態で設置することができるエアゾール缶あるいは空気を供給することができるポンプを備えたスプレー容器と、このエアゾール缶あるいはスプレー容器に取付けられた押し圧によって消臭剤等を噴霧することができる噴霧ノズルを備える噴霧用キャップと、足で押し圧することによって該噴霧用キャップの噴霧ノズルより消臭剤等を噴霧させることができる部位と足で押し圧することができない部位とに回動できるように噴霧用キャップあるいは前記エアゾール缶あるいはスプレー容器に回動可能に取付けられた足踏みペダルとで構成されているので、消臭剤等の噴霧を足による足踏みペダルを押し圧する操作で行なうことができる。
したがって、トイレ等に設置されていても、従来のように手で操作するものに比べ、衛生面での不快感がなく、気軽に使用することができる。
【００２１】
（２）前記（１）によって、トイレ等の床面に安定状態で設置することができるので、従来の手持ちで操作するものに比べ、設置場所に苦労することなく設置することができる。
【００２２】
（３）前記（１）によって、床面に設置して使用するので、エアゾール缶あるいはスプレー容器の容量を大きくしても、従来の手持ちのもののように使用しずらくなったりすることがなく、より安定状態で使用することができる。
【００２３】
（４）請求項２も前記（１）〜（３）と同様な効果が得られる。
【図面の簡単な説明】
【図１】本発明の第１の実施の形態の正面図。
【図２】本発明の第１の実施の形態の平面図。
【図３】本発明の第１の実施の形態の底面図。
【図４】本発明の第１の実施の形態の一部破断面図。
【図５】本発明の第１の実施の形態の設置状態の説明図。
【図６】本発明の第１の実施の形態の噴霧する状態の説明図。
【図７】本発明の第２の実施の形態の正面図。
【図８】本発明の第２の実施の形態の平面図。
【図９】本発明の第２の実施の形態の噴霧する状態の説明図。
【図１０】本発明の第３の実施の形態の正面図。
【図１１】本発明の第３の実施の形態の平面図。
【図１２】本発明の第３の実施の形態の押し圧できない状態にした説明図。
【図１３】本発明の第４の実施の形態の正面図。
【図１４】本発明の第４の実施の形態の平面図。
【図１５】本発明の第４の実施の形態の噴霧する状態の説明図。
【図１６】本発明の第５の実施の形態の正面図。
【図１７】本発明の第５の実施の形態の平面図。
【図１８】本発明の第５の実施の形態の噴霧する状態の説明図。
【図１９】本発明の第６の実施の形態の正面図。
【図２０】本発明の第６の実施の形態の平面図。
【図２１】本発明の第６の実施の形態の噴霧する状態の説明図。
【図２２】本発明の第７の実施の形態の正面図。
【図２３】本発明の第７の実施の形態の平面図。
【図２４】本発明の第７の実施の形態の噴霧する状態の説明図。
【符号の説明】
１、１Ａ：エアゾール缶、２：ノズル、
３、３Ａ：噴霧ノズル、  ４：噴霧用キャップ、
５、５Ａ、５Ｂ、５Ｃ、５Ｄ、５Ｅ：足踏みペダル、
６、６Ａ、６Ｂ：足踏みペダル本体、
７、７Ａ：支持部材、
８：スベリ止めシート、
９、９Ａ、９Ｂ、９Ｃ、９Ｄ、９Ｅ：消臭剤等のスプレー装置、
１０：トイレ、          １１：床面、
１２：枢支ピン、        １３：押し圧不可の表示、
１４：脚部材、          １５：係止片、
１６：スベリ止め、      １７：ポンプ、
１８：スプレー容器。
【図１】
0004301652.tif 000002
【図２】
0004301652.tif 000003
【図３】
0004301652.tif 000004
【図４】
0004301652.tif 000005
【図５】
0004301652.tif 000006
【図６】
0004301652.tif 000007
【図７】
0004301652.tif 000008
【図８】
0004301652.tif 000009
【図９】
0004301652.tif 000010
【図１０】
0004301652.tif 000011
【図１１】
0004301652.tif 000012
【図１２】
0004301652.tif 000013
【図１３】
0004301652.tif 000014
【図１４】
0004301652.tif 000015
【図１５】
0004301652.tif 000016
【図１６】
0004301652.tif 000017
【図１７】
0004301652.tif 000018
【図１８】
0004301652.tif 000019
【図１９】
0004301652.tif 000020
【図２０】
0004301652.tif 000021
【図２１】
0004301652.tif 000022
【図２２】
0004301652.tif 000023
【図２３】
0004301652.tif 000024
【図２４】
0004301652.tif 000025